(57)【要約】      （修正有）【課題】太陽電池パネルを置き基礎により設置するためのブロックとして、比較的容易に運搬できるとともに、太陽電池パネルを角度をもたせて固定できる太陽電池パネル設置用ブロックを提供する。【解決手段】第一の底面２０を設置面に接触させて立てることができるとともに、第一の底面に直交する第二の底面３０を設置面に接触させて立てることができるブロック体に、第一の底面が含まれる平面と第二の底面が含まれる平面とが交わる線に沿って延びる切り欠きであって、互いに交わる平らな面である載置面１０ａと補助面１０ｂとからなり、載置面と補助面とが交わる角部の第一の底面までの距離が、当該角部から第二の低面までの距離よりも大きくなる切り欠き１０を形成する。載置面は、補助面と交わる角部から端部に向かって第一の底面に近づくような傾斜を形成し、補助面は、載置面に対して空間側が９０度以上１８０度未満に交わるようにする。【選択図】図１
0003188359.tif 000002
【実用新案登録請求の範囲】
【請求項１】
第一の底面を平らな設置面に接触させて安定した状態で立てることができるとともに、前記第一の底面に直交する第二の底面を平らな設置面に接触させて安定した状態で立てることができるブロック体からなり、
前記第一の底面が含まれる平面と前記第二の底面が含まれる平面とが交わる線である基準線に沿って延びる切り欠きであって、互いに交わる平らな面である載置面と補助面とからなり、載置面と補助面とが交わる角部の前記第一の底面までの距離が、当該角部から前記第二の底面までの距離よりも大きくなる切り欠きが形成され、
前記載置面は、補助面と交わる角部から端部に向かって前記第一の底面に近づくような傾斜が形成されるとともに、
前記補助面は、前記載置面に対して空間側が９０度以上１８０度未満に交わる
太陽電池パネル設置用ブロック。
【請求項２】
前記切り欠きは、前記第一の底面に対する第一の上面と、前記第二の底面に対する第二の上面とが交わる角部に設けられるものであって、
前記第一の上面上の前記切り欠き近傍に埋め込まれる１以上のナットもしくはボルトからなる第一固定部と、
前記第一固定部が設けられる範囲の両端のそれぞれを通る、前記基準線に直交する二平面と前記第二の上面とが交わる線分に挟まれる範囲における、前記第二の上面上の前記切り欠き近傍に埋め込まれる１以上のナットもしくはボルトからなる第二固定部と
を有する請求項１に記載の太陽電池パネル設置用ブロック。
【請求項３】
請求項１又は２に記載の太陽電池設置用ブロックと、
前記第一固定部に固定できるボルト穴が形成された板体からなる固定板と、想定される太陽電池パネルが前記載置面に下面が当接して設置された場合に、当該太陽電池パネルの上面に当接する板体からなる押さえ板と、前記第一固定部に固定された当該固定板と当該太陽電池パネルの上面に当接した当該押さえ板とを前記太陽電池パネル設置用ブロックを避けて一体に連結固定する連結部とからなる第一連結金具、及び／又は、
前記第二固定部に固定できるボルト穴が形成された板体からなる固定板と、前記太陽電池パネルが前記載置面及び前記切り欠きの角部に端面が当接して設置された場合に、当該太陽電池パネルの上面に当接する板体からなる押さえ板と、前記第二固定部に固定された当該固定板と当該太陽電池パネルの上面に当接した当該押さえ板とを前記太陽電池パネル設置用ブロックを避けて一体に連結固定する連結部とからなる第二連結金具と
からなる太陽電池パネル設置ユニット。
【請求項４】
前記第一連結金具及び前記第二連結金具の少なくとも一方の前記押さえ板には、１以上のネジ穴が形成される請求項３に記載の太陽電池パネル設置ユニット。
【請求項５】
前記ネジ穴は、前記太陽電池パネルに前記ネジ穴が設けられた前記押さえ板が当接した状態で前記切り欠きに沿って２個設けられるものであり、当該ネジ穴同士は通電可能に形成される請求項４に記載の太陽電池パネル設置ユニット。
【考案の詳細な説明】
【技術分野】
【０００１】
本考案は太陽電池パネルを設置するための土台となるブロックに関する。
【背景技術】
【０００２】
太陽電池パネルをビルの屋上などに設置する場合、一般的には基礎工事を行なって太陽電池パネルを固定する金属性の架台を設置面に固定し、これに太陽電池パネルを固定する工法が採られる。しかし、このように金属製の架台を設置面に固定する工事は労力がかかり、作業性が悪い。
これに対して、重量のあるブロックを設置面に置き、これを基礎とする工法も実施されている。例えば、特許文献１に記載のような太陽電池パネルの前後端を保持できる専用のブロックを合成樹脂に代えてコンクリートで形成し、これを設置面に置くことで置き基礎とし、このブロックに太陽電池パネルを直接又は金属製の台を介して固定する工法が存在する。また、簡易な方法として、市販の直方体状のブロックを複数並べて置き基礎とし、このブロックに特別な金具を固定して、当該金具に太陽電池パネルを固定する工法も行なわれている。これらの工法によれば、設置面を加工することなく、設置面に置いているだけなので、労力がかからず短時間で太陽電池パネルを設置することができる。
【先行技術文献】
【特許文献】
【０００３】
【特許文献１】特開2011-94467号公報
【考案の概要】
【考案が解決しようとする課題】
【０００４】
しかし、上記のように太陽電池パネルの前後を固定できるような専用ブロックをコンクリートで形成すると非常に重くなるので設置面までの運搬が困難になり、特にビルの屋上に設置するためには大型のクレーン車などが必要となる。また、市販の直方体状のブロックを用いる場合は、運搬は容易であるが、太陽電池パネルを傾けて設置することが困難であり、金具とブロックを固定するために部品点数が多くなる傾向がある。
本考案は、以上のような問題に鑑みて、太陽電池パネルを置き基礎により設置するためのブロックとして、比較的容易に運搬できるとともに、太陽電池パネルを角度をもたせて固定できるようにすることを課題とする。
【課題を解決するための手段】
【０００５】
上記課題を解決するために、本考案は次のような構成を有する。
請求項１に記載の考案は、第一の底面を平らな設置面に接触させて安定した状態で立てることができるとともに、前記第一の底面に直交する第二の底面を平らな設置面に接触させて安定した状態で立てることができるブロック体からなり、前記第一の底面が含まれる平面と前記第二の底面が含まれる平面とが交わる線である基準線に沿って延びる切り欠きであって、互いに交わる平らな面である載置面と補助面とからなり、載置面と補助面とが交わる角部の前記第一の底面までの距離が、当該角部から前記第二の底面までの距離よりも大きくなる切り欠きが形成され、前記載置面は、補助面と交わる角部から端部に向かって前記第一の底面に近づくような傾斜が形成され、前記補助面は、前記載置面に対して空間側が９０度以上１８０度未満に交わる太陽電池パネル設置用ブロックである。なお、第一の底面、第二の底面は連続した面である必要はなく、設置面に同時に接触する複数の面により形成される場合が含まれる。
【０００６】
請求項２に記載の考案は、前記太陽電池パネル設置用ブロックにおいて、前記切り欠きは、前記第一の底面に対する第一の上面と、前記第二の底面に対する第二の上面とが交わる角部に設けられるものであって、前記第一の上面上の前記切り欠き近傍に埋め込まれる１以上のナットもしくはボルトからなる第一固定部と、前記第一固定部が設けられる範囲の両端のそれぞれを通る、前記基準線に直交する二平面と前記第二の上面とが交わる線分に挟まれる範囲における、前記第二の上面上の前記切り欠き近傍に埋め込まれる１以上のナットもしくはボルトからなる第二固定部とを有するものである。
【０００７】
請求項３に記載の考案は、前記太陽電池設置用ブロックと、前記第一固定部に固定できるボルト穴が形成された板体からなる固定板と、想定される太陽電池パネルが前記載置面に下面が当接して設置された場合に、当該太陽電池パネルの上面に当接する板体からなる押さえ板と、前記第一固定部に固定された当該固定板と当該太陽電池パネルの上面に当接した当該押さえ板とを前記太陽電池パネル設置用ブロックを避けて一体に連結固定する連結部とからなる第一連結金具、及び／又は、前記第二固定部に固定できるボルト穴が形成された板体からなる固定板と、前記太陽電池パネルが前記載置面及び前記切り欠きの角部に端面が当接して設置された場合に、当該太陽電池パネルの上面に当接する板体からなる押さえ板と、前記第二固定部に固定された当該固定板と当該太陽電池パネルの上面に当接した当該押さえ板とを前記太陽電池パネル設置用ブロックを避けて一体に連結固定する連結部とからなる第二連結金具とからなる太陽電池パネル設置ユニットである。
【０００８】
請求項４に記載の考案は、前記太陽電池パネル設置ユニットにおいて、前記第一連結金具及び前記第二連結金具の少なくとも一方の前記押さえ板には、１以上のネジ穴が形成されるものである。
請求項５に記載の考案は、請求項４に記載の太陽電池パネル設置ユニットにおいて、  前記ネジ穴は、前記太陽電池パネルに前記ネジ穴が設けられた前記押さえ板が当接した状態で前記切り欠きに沿って２個設けられるものであり、当該ネジ穴同士は通電可能に形成されるものである。
【考案の効果】
【０００９】
以上のような構成により、本考案は次のような効果を奏する。
請求項１に記載の考案は、２つのパネル設置用ブロックを１組として、切り欠き同士が互いに向かい合うようにして所定間隔を空けて、一方のブロックを第一の底面を設置面に接触させ、他方のブロックを第二の底面を設置面に接触させるように置く。これにより、一方のブロックの切り欠きが高く、他方のブロックの切り欠きが低くなり、また、互いの間隔を適切に設けることで一方のブロックの載置面の延長面が他方のブロックの載置面と補助面との交わる角に一致するようにできる。この状態で、他方のブロックの載置面は、一方のブロックの載置面の延長面に対して直角に交わるので、一方のブロックの載置面と他方のブロックの載置面に載る長さを有する太陽電池パネルの両端を両ブロックの切り欠きに置くと、太陽電池パネルの上端側の裏面は一方のブロックの載置面に接触し、太陽電池パネルの下端側の端面は他方のブロックの載置面に接触するので安定して太陽電池パネルを置くことができる。このように、同じ太陽電池パネル設置用ブロックを置き方を変えることで、太陽電池パネルの上端側を支持するものとしたり、太陽電池パネルの下端側を支持するものとしたりできるので部品点数が少なくて済み、さらに、太陽電池パネルを傾斜を有するように固定することができる。また、一つのブロックは太陽電池パネルの両側でなく一方側を支持するので両側を支持するブロックに比較して軽量で運搬しやすくすることができる。
【００１０】
請求項２に記載の考案は、太陽電池パネルを載置する切り欠き近傍の上面に第一固定部、第二固定部を設けることで、これらを介して太陽電池パネルを固定する金具をブロックに直接固定することができる。
請求項３に記載の考案は、一組の太陽電池パネル設置用ブロック間に太陽電池パネルを設置した状態で第一連結金具や第二連結金具を第一固定部や第二固定部に固定することで太陽電池パネルを上面から押さえて固定することができる。
請求項４に記載の考案は、ネジ穴にボルト等をねじ込むことで太陽電池パネルの上面をネジで押さえこんでより、しっかりと太陽電池パネルを保持することができる。
請求項５に記載の考案は、一組の太陽電池パネル設置用ブロック間で、隣接する太陽電池パネルの接合部を支持するようにし、第一連結金具及び／又は第二連結金具の押さえ板に設けられた２つのネジ穴のそれぞれで、隣接する太陽電池パネルのそれぞれを導電性のあるボルト等で押さえると、隣接する太陽電池パネル同士を電気的に接続でき、各太陽電池パネルのアースをまとめて取ることができる。
【図面の簡単な説明】
【００１１】
【図１】実施形態に係る太陽電池設置用ブロックの斜視図である。
【図２】（ａ）は下側連結金具の斜視図であり、（ｂ）は上側連結金具の斜視図である。
【図３】（ａ）は太陽電池パネル取り付け状態を示す側面図であり、（ｂ）は太陽電池パネル取り付け状態を示す平面図である。
【図４】（ａ）は取り付け状態における下端側の太陽電池設置用ブロック近傍の拡大側面図であり、（ｂ）は取り付け状態における下端側の太陽電池設置用ブロック近傍の拡大平面図である。
【図５】（ａ）は取り付け状態における上端側の太陽電池設置用ブロック近傍の拡大側面図であり、（ｂ）は取り付け状態における上端側の太陽電池設置用ブロック近傍の拡大平面図である。
【考案を実施するための形態】
【００１２】
以下、本考案の実施の形態について、図面を参照しながら説明する。
図１に本実施形態に係る太陽電池設置用ブロックＸの斜視図を示す。太陽電池設置用ブロックＸはコンクリート製の細長い直方体から長辺の一の角部を長手方向に沿って切り欠いた切り欠き１０を形成した形状を有する。長手方向に沿った、切り欠き１０に隣接しない２面がそれぞれ第一底面２０、第二底面３０を形成する。また、第一底面２０に平行な面が第一上面４０、第二底面３０に平行な面が第二上面５０を形成する。第一上面４０及び第二上面５０の中央位置の切り欠き１０近傍にはそれぞれインサートナット４１、５１が埋め込まれている。
切り欠き１０は、第ニ底面３０に平行な面からなる補助面１０ｂと、補助面１０ｂに対して空間側が鈍角に交わる載置面１０ａとから構成される。即ち、載置面１０ａは、切り欠き１０の角部から端部に向かって第一底面２０に近づくような傾斜が形成される。また、切り欠き１０の角部から第一底面２０までの距離は、切り欠き１０の角部から第二底面３０までの距離よりも大きくなるように形成される。この、切り欠き１０の角部と第一底面２までの距離と当該角部から第二底面３０までの距離の差および載置面の傾斜角度は、固定する太陽電池パネルの設置角度と長さによって定まる。
【００１３】
太陽電池パネルは太陽電池設置用ブロックＸに、下側固定金具及び上側固定金具により固定される。図２（ａ）に下側固定金具６０の斜視図を示し、図２（ｂ）に上側固定金具７０の斜視図を示す。下側固定金具６０は、板金を平行な二箇所の折り曲げ線で折り曲げたものであり、折り曲げ線を挟んで固定板６１、連結部６２、押さえ板６３を構成する。固定板６１は第二上面５０上に固定されるものであり、インサートナット５１に嵌るボルトが通るボルト穴６１ａが形成されている。固定板６１の折り曲げ線はボルト穴６１ａをインサートナット５１の位置に固定したときに、第二上面５０の切り欠き１０に接する角部にほぼ一致するようになっている。押さえ板６３は太陽電池パネルの下端が載置面１０ａと補助面１０ｂとで形成される角部に位置し、端面が載置面１０ａに接触した状態で、太陽電池パネルの上面に当接して押さえる板体である。連結部６２は押さえ板６３が太陽電池パネルの上面に接触する位置に固定されるように固定板６１と押さえ板６３とを連結する。
【００１４】
上側固定金具７０は、板金を平行な二箇所の折り曲げ線で折り曲げたものであり、折り曲げ線を挟んで固定板７１、連結部７２、押さえ板７３を構成する。固定板７１は第一上面４０上に固定されるものであり、インサートナット４１に嵌るボルトが通るボルト穴７１ａが形成されている。固定板７１の折り曲げ線はボルト穴７１ａをインサートナット４１の位置に固定したときに、第一上面４０の切り欠き１０に接する角部にほぼ一致するようになっている。押さえ板７３は載置面１０ａに太陽電池パネルの裏面が接触した状態で、太陽電池パネルの上面に当接して押さえる板体である。連結部７２は押さえ板７３が太陽電池パネルの上面に接触する位置に固定されるように固定板７１と押さえ板７３とを連結する。また、上側固定金具７０の押さえ板７３には、折り曲げ線に平行に２つのネジ穴が並んで形成されるとともに、当該ネジ穴にホーローセット７３ａ、７３ａが固定されている。なお、ホーローセット７３ａ、７３ａ同士は電気的に通電するようになっている。
【００１５】
次に以上のような構成を有する太陽電池パネル設置用ブロックＸ及び下側固定金具６０、上側固定金具７０の使用方法について説明する。図３（ａ）に太陽電池パネル用設置ブロックＸ、下側固定金具６０、上側固定金具７０を用いて太陽電池パネルＰを固定した状態を表す側面図を示し、図３（ｂ）に図３（ａ）の状態の平面図を示す。さらに、図４（ａ）に図３（ａ）の太陽電池パネル上端側の拡大図を示し、図４（ｂ）に図３（ｂ）の太陽電池パネル上端側の拡大図を示し、図５（ａ）に図３（ａ）の太陽電池パネル下端側の拡大図を示し、図５（ｂ）に図３（ｂ）の太陽電池パネル下端側の拡大図を示す。
太陽電池パネルＰの設置に際しては、まず、図３（ａ）（ｂ）に示すように、太陽電池パネル設置用ブロックＸを２つ一組として、切り欠き1０同士が向かい合うように、一方の太陽電池パネル設置用ブロックＸは第一底面２０を下にして立て、他方の太陽電池パネル設置用ブロックＸは第二底面３０を下にして立てる。なお、一組の太陽電池パネル設置用ブロックＸは、隣接して配置される太陽電池パネルＰの継ぎ目部分に置かれ、太陽電池パネル設置用ブロックＸは想定される複数枚の太陽電池パネルＰの各継ぎ目の位置と最も両端の太陽電池パネルＰの端縁部分に設置される。なお、最端部の太陽電池パネル設置用ブロックＸは、半分の長さのものを別途用意し、これを用いてもよい。
【００１６】
一組の太陽電池パネル設置用ブロックＸ同士の間隔は、第一底面２０を下にして立てた太陽電池パネル設置用ブロックＸの載置面１０ａの延長面が、第ニ底面３０を下にして立てた太陽電池パネル設置用ブロックＸの切り欠き１０の角部に一致するように調節する。この状態で太陽電池パネルＰを設置すると、太陽電池パネルＰの下端は第ニ底面３０を下にした太陽電池パネル設置用ブロックＸの切り欠き１０の角部に下端の角部が一致し、端面が当該切り欠き１０の載置面１０ａに接触して支持される。一方、太陽電池パネルＰの上端は第一底面２０を下にした太陽電池パネル設置用ブロックＸの切り欠き１０の角部に下端の角部が一致し、下面が当該切り欠き１０の載置面１０ａに接触して支持される。太陽電池パネルＰは継ぎ目部分が太陽電池パネル設置用ブロックＸの中央に位置するように置くことで、太陽電池パネルＰの継ぎ目同士の延長線に、第ニ底面３０を下にした太陽電池パネル設置用ブロックＸの第二上面５０に設けられるインサートナット５１、及び、第一底面２０を下にした太陽電池パネル設置用ブロックＸの第一上面４０に設けられるインサートナット４１が位置する。そして、インサートナット４１には上側固定金具７０をボルトにより固定することで、太陽電池パネルＰの上端側上面を押さえて固定し、インサートナット５１には下側固定金具６０をボルトにより固定することで、太陽電池パネルＰの下端側上面を押さえて固定する。さらに、上側固定金具７０に設けられているホーローセット７３ａ、７３ａを締め込んで太陽電池パネルＰの上端側上面をさらに押さえ付けるとともに、隣接する太陽電池パネルＰ同士を通電させる。全ての太陽電池パネル設置用ブロックＸに下側固定金具６０、上側固定金具７０を固定すれば太陽電池パネルＰの設置は完了する。
このように太陽電池パネル設置用ブロックＸは向きを変えて立てることで載置面の高さが異なる台となるので、太陽電池パネルを傾斜して設置でき、一種類のみの太陽電池パネル設置用ブロックＸを製造すればよいので製造コストも低減できる。また、太陽電池パネル設置用ブロックＸと、下側固定金具６０、上側固定金具７０のみで太陽電池パネルを設置できるので部品点数も非常に少なく、作業性がよく、部品管理も容易である。
【００１７】
なお、ブロックの形状は二つの直交する底面と、切り欠きが上述するような関係にあれば適宜変更でき、第二底面３０の幅を広げて、第一上面４０を第一底面に対して傾斜するような形状にしてもよい。この場合、下側固定金具６０の固定板６１と連結部６２との角度を調節すれば足りる。
また、第一固定部となるインサートナット４１、第二固定部となるインサートナット５１はそれぞれ一つずつ設けられているが、これらは複数設けてもよく、これに応じて下側固定金具６０、上側固定金具７０のボルト穴を増やすとともに、下側固定金具６０、上側固定金具７０の幅を広げてもよい。
【符号の説明】
【００１８】
Ｘ  太陽電池パネル設置用ブロック
１０  切り欠き
１０ａ  載置面
１０ｂ  補助面
２０  第一底面
３０  第二底面
４０  第一上面
４１  インサートナット
５０  第二上面
５１  インサートナット
６０  下側固定金具
６１  固定板
６１ａ  ボルト穴
６２  連結部
６３  押さえ板
７０  上側固定金具
７１  固定板
７１ａ  ボルト穴
７２  連結部
７３  押さえ板
７３ａ  ホーローセット
【図１】
0003188359.tif 000003
【図２】
0003188359.tif 000004
【図３】
0003188359.tif 000005
【図４】
0003188359.tif 000006
【図５】
0003188359.tif 000007